(57)【要約】      （修正有）【課題】ジェスチャに基づく遠隔制御システムを制御する。【解決手段】ユーザのジェスチャのイメージを検出することによって制御式電子機器を制御する。ユーザのジェスチャのイメージの移動領域が検出される。ユーザのジェスチャは、移動領域の移動が連続的なときに、調整されたジェスチャとして判断される。この制御式電子機器は、調整されたジェスチャに基づき、かつ無線送信機によって送信されるキー制御コマンドによって制御される。【選択図】図１
2010282382.tif 000002
【特許請求の範囲】
【請求項１】
ジェスチャに基づく遠隔制御システム（１００）およびユーザのジェスチャを検出することによって制御される制御式電子アプリケーション、を制御するための方法であって、前記方法が、以下のステップ、すなわち、
（ａ）ユーザのジェスチャのイメージを検出するステップと、
（ｂ）前記ユーザのジェスチャの前記イメージの移動領域を検出するステップと、
（ｃ）前記移動領域の前記移動が指定された方向に連続的である場合に、前記ユーザのジェスチャを調整されたジェスチャと判断するステップと、
（ｄ）無線送信機を通して前記調整されたジェスチャに対応するキー制御コマンドを送信するステップと、を含む方法。
【請求項２】
請求項１の制御方法であって、前記制御式電子アプリケーションが、テレビ（２００）、ＤＶＤプレーヤ、空気調節装置またはコンピュータである、ことを特徴とする方法。
【請求項３】
請求項１の制御方法であって、前記調整されたジェスチャに対応する前記キー制御コマンドが、インクリメントキー制御コマンドおよびデクリメントキー制御コマンドを含む、ことを特徴とする方法。
【請求項４】
請求項１の制御方法であって、前記移動領域が指定された方向に継続的に動く前記ステップ（ｃ）が、前記移動領域が横の方向に継続的に動くことを意味する、ことを特徴とする方法。
【請求項５】
請求項４の制御方法であって、前記横の方向が、左への方向または右への方向である、ことを特徴とする方法。
【請求項６】
請求項１の制御方法であって、前記ステップ（ｂ）の後に、さらに、以下のステップ、すなわち、
（ｂ１）前記移動領域が横方向から縦方向への、または縦方向から横方向への変化に遷移する時にポジションジェスチャを判断するステップ、を含む方法。
【請求項７】
請求項６の制御方法であって、前記ステップ（ｂ１）の後に、さらに、以下のステップ、すなわち、
（ｂ２）複数の動作オプションを備えた動作メニューを表示するステップと、
（ｂ３）前記動作メニューに対応するクリック規定ブロックをセットするステップと、
（ｂ４）前記移動領域が前記クリック規定ブロックに重なる時、クリックジェスチャを判断するステップと、
（ｂ５）動作オプションを選択するために無線送信機を通して前記クリックジェスチャに対応するオプション信号を送信するステップと、を含む方法。
【請求項８】
請求項７の制御方法であって、前記ステップ（ｃ）が、さらに、以下のステップ、すなわち、
（ｃ１）前記移動領域が横の方向に継続的に動く時、キャンセルジェスチャを判断するステップと、
（ｃ２）無線送信機を通して前記キャンセルジェスチャに対応するキー制御コマンドを送信するステップと、を含むことを特徴とする方法。
【請求項９】
請求項１の制御方法であって、前記ステップ（ｂ）が、さらに、以下のステップ、すなわち、
（ｂ１’）調整されたイメージを得るように前記ユーザのジェスチャの前記イメージを調整するステップと、
（ｂ２’）調整された移動イメージを得るためにイメージ差分法を用いて前記調整されたイメージを算出するステップと、
（ｂ３’）移動イメージを得るために前記調整された移動イメージを検出するステップと、
（ｂ４’）前記移動イメージの移動領域を規定するステップと、を含むことを特徴とする方法。
【請求項１０】
請求項９の制御方法であって、前記ステップ（ｂ１’）が、さらに、以下のステップ、すなわち、
（ｂ１１）前記ユーザのジェスチャの前記イメージの処理されたサイズを所定サイズに合わせるステップと、
（ｂ１２）前記ユーザのジェスチャの前記イメージの色を変えるステップと、
（ｂ１３）前記ユーザのジェスチャの前記イメージのスペックルノイズにフィルターをかけるステップと、を含むことを特徴とする方法。
【請求項１１】
請求項１０の制御方法であって、前記ステップ（ｂ１２）が、前記ユーザのジェスチャの前記イメージの色を２４−ビットフルカラーのイメージから８ビットグレーレベルイメージに変える、ことを特徴とする方法。
【発明の詳細な説明】
【技術分野】
【０００１】
本発明は、遠隔制御システムを制御するための方法に、および、特にジェスチャに基づく遠隔制御システムを制御するための方法に関する。
【背景技術】
【０００２】
多くの異なる家電機器を異なる対応するリモートコントロールを用いて動作させることは、不便で煩瑣である。したがって、多くの異なるキーコード情報データベースが様々な家電機器を動作させる同じリモートコントロールに組み込まれ、それによって、１台のリモートコントロールがモード選択に十分ならばモードスイッチキーとともに使用される。さらに、いくつかの高級なリモートコントロールが、キーコード情報データベースの不足を克服するために異なるブランドのリモートコントロールのキーコードをエミュレートするように設計されている。しかしながら、ユーザが、応答側物理リモートコントロールが置かれているところを忘れると、家電機器を動作させるのは不便である。
【発明の概要】
【発明が解決しようとする課題】
【０００３】
前述した欠点を改善するために、本発明は、少なくとも１台の制御式電子機器を制御するためにジェスチャに基づく遠隔制御システムを制御するための方法を提供する。
【課題を解決するための手段】
【０００４】
前述した目的を達成するために、ジェスチャに基づく遠隔制御システムを制御するための方法が、ユーザのジェスチャのイメージを検出することによって制御式電子機器を制御する。ユーザのジェスチャのイメージの移動領域が、検出される。ユーザのジェスチャは、移動領域の移動が連続的である時調整されたジェスチャと判断される。制御式電子機器は、調整されたジェスチャに基づき、かつ無線送信機によって送信される、キー制御コマンドによって制御される。
【０００５】
上記の概要および以下の詳細な説明は例示的であり、請求される本発明の更なる説明を提供することを目的とすることが理解されるべきである。本発明の他の利点および特徴は、以下の説明、図面および請求の範囲から明らかである。
【図面の簡単な説明】
【０００６】
新奇であると信じられる本発明の特徴は、添付の特許請求の範囲で特に、記載される。本発明自体はしかしながら、添付の図面と共にとられる本発明の例示的な実施態様を記載する、以下の本発明の詳細な説明を参照することで最もよく理解されることができ、そこにおいて、
【０００７】
【図１】本発明に従うジェスチャに基づく遠隔制御システムを制御するための方法の流れ図である。
【図２】イメージ差分法を使用する模式図である。
【図３】複数の分割セクションの模式図である。
【図４】移動領域の方向を探索する模式図である。
【図５】両腕を外側に持ち上げて、両腕を上方へおよび下方へ振るポジションジェスチャを示す模式的な正面図である。
【図６】ユーザの位置および模擬押鍵キーの位置を示す模式的な正面図である。
【図７】両腕を前方に持ち上げて、両腕を左におよび右に振るキャンセルジェスチャを示す模式的な下面図である。
【図８】メニュー手順を実行する流れ図である。
【図９】ポジション手順を実行する流れ図である。
【図１０】キャンセル手順を実行する流れ図である。
【図１１】インクリメント手順を実行する流れ図である。
【図１２】デクリメント手順を実行する流れ図である。
【図１３】クリック手順を実行する流れ図である。
【図１４】ジェスチャに基づく遠隔制御システムのブロック図である。
【発明を実施するための形態】
【０００８】
上記したように、ユーザが、応答側物理リモートコントロールが位置するところを忘れる時は、家電機器を動作させるのは不便である。前述した欠点を解決するために、本発明は電気機器を動作させるために物理リモートコントロールを伴わずにジェスチャに基づく遠隔制御システムを提供する。ジェスチャに基づく遠隔制御システムは、ユーザのジェスチャの異なるイメージを取り込むカメラモジュールを準備する。ジェスチャイメージ（ユーザのジェスチャのイメージ）が、物理リモートコントロールのボタンに対応する制御信号を生成するために処理され、およびこの制御信号が電気機器を制御するために与えられる。より詳細な説明において、スクリーン上の表示（ＯＳＤ）を備えた（テレビのような）電子機器が、汎用リモートコントロールであるように提供される。さまざまなリモートコントロールの多くの様々なキーコードが模擬されるか、または、キーコードデータベースが汎用リモートコントロールによって直接使われる。更に、動作メニューの内容がモニタに直接表示され、および、動作メニューが、いかなる物理リモートコントロールも使用することなくさまざまな電子機器を制御するように動作される。
【０００９】
ジェスチャに基づく遠隔制御システムのブロック図である図１４を参照して、この制御方法が対応する電子機器に適用されることを説明する。ジェスチャに基づく遠隔制御システム１００は、デジタル画像プロセッサ１０２、マイクロプロセッサ１０４、カメラモジュール１０６、出力ポート１０８、入力ポート１１０、消去可能ＰＲＯＭ（ＥＥＰＲＯＭ）１１２およびＡ／Ｄコンバータ１１４を含む。カメラモジュール１０６は、デジタル画像プロセッサ１０２に電気的に接続されている。マイクロプロセッサ１０４はそれぞれ、デジタル画像プロセッサ１０２、出力ポート１０８、入力ポート１１０、ＥＥＰＲＯＭ  １１２およびＡ／Ｄコンバータ１１４に電気的に接続されている。
【００１０】
最初に、制御式電子機器のリモートコントロール（図示せず）から送信されたキーコード情報が受信されて、（赤外線入力ポートのような）入力ポート１１０を通して模擬される。その後、キーコード情報が翻訳され、次いで消去可能ＰＲＯＭ（ＥＥＰＲＯＭ）１１２内に記憶される。キーコード情報の他に、制御式電子機器の何百もの周知のキーコードデータベースがＥＥＰＲＯＭ  １１２内に記憶されることができる。その後、ユーザのジェスチャのイメージ（ユーザのジェスチャイメージ）がカメラモジュール１０６によって取り込まれる。ユーザのジェスチャイメージが、デジタル画像プロセッサ１０２によって認識されて、制御コマンドを取得し、およびこの制御コマンドがマイクロプロセッサ１０４に送信される。無線送信機４００は、制御式電子機器のタイプに従って制御式電子機器を制御するために異なる種類のＩＲまたはＲＦ制御コマンドを送信することができる。さらに、制御コマンドはまた、（Ｉ２Ｃ、ＳＰＩまたはＵＡＲＴのような）異なる伝送インターフェースを用いてテレビ２００に送信されることができる。デジタル信号の他に、マイクロプロセッサ１０４はまた、テレビ２００にＡ／Ｄコンバータ１１４によって処理されるアナログ信号を送信することができる。デジタル画像プロセッサ１０２は、ビデオ信号をテレビ２００に送信して、動作プロセス中に動作メッセージを示すためのモニタ２０２にそれらを表示する。
【００１１】
このジェスチャに基づく遠隔制御システムは、位置ジェスチャ、クリックジェスチャ、スライドジェスチャおよびキャンセルジェスチャに対するユーザのジェスチャを判断する。異なるジェスチャの詳細な説明が、次の通りに与えられる：
【００１２】
１．位置ジェスチャ。汎用模擬ジェスチャに基づく遠隔制御システムは、スクリーン上の表示（ＯＳＤ）機能を備えた（テレビのような）電子機器を有する。また、動作メニューはジェスチャに基づく遠隔制御システムを起動した後に、初めに無効状態にセットされる。最初に、ユーザに対する最適動作位置が自動的に探知され、および、ユーザが両腕を外側に持ち上げて、両腕を上方へおよび下方へ振る（図５に示す）と、メインメニューが起動されて、電子機器のモニタ上に表示される。模擬押鍵キーの動作位置は、４つの異なる位置に位置する。第１の位置はユーザの頭部の上に位置し、第２の位置は第１の位置の両方の外側に位置し、第３の位置は第２の位置の両方の外側に位置し、および、第４の位置はユーザの左右の手の近くである（図６に示す）。より詳しくは、機能選択ブロックが第１の位置、第２の位置および第３の位置に位置する。また、機能調節ブロックが第４の位置に位置し、および、機能調整領域が動作メニューを切替える（回転させる）かまたはファンクションキーを送信するように動作される。
【００１３】
２．クリックジェスチャ。クリックジェスチャは、機能選択領域に適用される。選択動作は、機能選択領域内に位置する模擬押鍵キーの１つを１回クリックするように動作される。加えて、模擬押鍵キーの１つが再びクリックされると、選択動作はキャンセルされる。したがって、模擬押鍵キーはトグルキーと呼ばれている。さらに、別の模擬押鍵キーがクリックされると、現在の模擬押鍵キーは自動的に解除される。したがって、模擬押鍵キーの１つだけが同時に動作され、それは、コンピュータＧＵＩメニューのラジオボタンと類似している。
【００１４】
３．スライドジェスチャ。スライドジェスチャは、機能調整領域に適用される。右側模擬キーが右腕を振るジェスチャだけをサポートし、および、左側模擬キーが左腕を振るジェスチャだけをサポートする。機能選択ブロックのどれもが選ばれないと、動作メニューは右にまたは左に切替えられる（回転される）。機能選択ブロックの１つが選ばれ、かつユーザが彼（女）の腕を右側に振ると、前進方向ファンクションキーが送信される。逆に、機能選択ブロックの１つが選ばれ、かつユーザが彼（女）の腕を左側に振ると、逆方向ファンクションキーが送信される。例えば音量調節を例にとる。音量制御機能（操作機能は、機能選択ブロックの１つにセットされる）が選ばれ、および、ユーザが彼（女）の腕を右側に振ると、音量が上げられる。逆に音量制御機能が選ばれ、および、ユーザが彼（女）の腕を左側に振ると、音量が下げられる。加えて、ユーザが、彼（女）の腕を左におよび右に振ると、それぞれ前進方向ファンクションキーおよび逆方向キーがまた、送信される。それは、上述の動作に限られていない。
【００１５】
４．キャンセルジェスチャ。ユーザが両腕を前方へ持ち上げて、両腕を左におよび右に振ると（図７に示す）、キャンセルジェスチャが以前のメニューへ戻るかまたは現在のメニューを閉じるために動作されることができる。
【００１６】
汎用模擬ジェスチャに基づく遠隔制御システムの上述の動作メニューは、メインメニューおよびサブメニューに切り替えられることができる。メインメニューが、制御式電子機器の機器オプションおよび遠隔制御システムの設定オプションを切替えるために提供される。メインメニューにおいて、ユーザが彼（女）の腕を左にまたは右に振ると、機能調節ブロックが機器オプションを切替える（回転させる）ために動作される。より詳しくは、制御式電子機器の機器オプションはテレビ、ＤＶＤプレーヤ、空気調節装置、コンピュータまたはその他である。制御式電子機器の機器オプションの１つが選ばれると、対応するサブメニューが起動される、すなわち開けられる。さらに、キャンセルジェスチャが動作されると、メインメニューが閉じられることができる。サブメニューが、対応する機器オプションの動作オプションを切替えるために与えられる。サブメニューにおいて、機能選択ブロック内の動作オプションが動作させるのに選ばれることができ、更に、動作オプションの動作がキャンセルされることができる。機能選択ブロックのどれもが選ばれず、および、機能調節ブロック内の模擬押鍵キーの１つがクリックされると、制御式電子機器の（音量調節、チャンネル選択または色調整のような）動作オプションが切替えられる（回転される）ことができる。加えて、機能選択ブロックの１つが選ばれ、および、機能調節ブロック内の模擬押鍵キーの１つがクリックされると、前進方向ファンクションキーまたは逆方向ファンクションキーが送信される。キャンセルジェスチャが動作される（図８に示す）と、サブメニューはメインメニューへ戻るように動作されることができる。
【００１７】
別のユーザがジェスチャに基づく遠隔制御システムを動作させたいときに、メインメニューが閉じられなければならず、および、ポジションジェスチャ（ユーザが、両腕を左におよび右に持ち上げて、両腕を上方へおよび下方へ振る）が再び動作される。したがって、１人のユーザだけが同時に、この遠隔制御システムを動作させることができる、すなわち、１人のユーザだけがカメラモジュールによって可視領域内に取り込まれることができる。
【００１８】
図１を参照して、これは、本発明に従ってジェスチャに基づく遠隔制御システムを制御するための方法の流れ図である。ジェスチャに基づく遠隔制御システムは、ユーザのジェスチャのイメージを検出することによって制御式電子機器を制御するために提供される。制御式電子機器は、テレビ、ＤＶＤプレーヤ、空気調節装置、コンピュータまたはその他であることができる。最初にユーザのジェスチャのイメージがカメラモジュールによって取り込まれる（Ｓ１０）。その後、ユーザのジェスチャのイメージが調整されたイメージを得るように調整される（Ｓ２０）。その後、調整されたイメージの調整された移動イメージがイメージ差分法を用いて算出される（Ｓ３０）。その後、調整された移動イメージが移動イメージを得るために検出される（Ｓ４０）。その後、移動イメージ内の移動領域が規定される（Ｓ５０）。その後、対応する制御信号が移動領域の変化に従って生成される（Ｓ６０）。最後に、制御信号が無線送信機によって制御式電子機器を制御するために送信される（Ｓ７０）。ジェスチャに基づく遠隔制御システムを制御するための方法の詳細な説明が、次の通りに与えられる。
【００１９】
調整されたイメージを得るようにユーザのジェスチャのイメージを調整するステップＳ２０が、以下のサブステップを含む：（１）ユーザのジェスチャのイメージの処理されたサイズを調整する。（２）ユーザのジェスチャのイメージの色を（２４−ビットフルカラーのイメージから８ビットグレーレベルイメージに）変換する。および（３）ユーザのジェスチャのイメージのスペックルノイズにフィルターをかける。より詳しくは、ユーザのジェスチャのイメージのスペックルノイズがイメージローパスフィルタによってフィルターをかけられることができる。
【００２０】
ステップＳ３０、調整されたイメージの調整された移動イメージがイメージ差分法を使用して算出される。図２を参照して、これは、イメージ差分法を使用する模式図である。より良い性能を得るために、３つの連続的なジェスチャイメージが調整された移動イメージを算出するために供給される。３つの連続的なジェスチャイメージ（ユーザのジェスチャのイメージ）は、それぞれ、現在のグレーレベルイメージ１２、現在のグレーレベルイメージ１２の前の先行するグレーレベルイメージ１１および先行するグレーレベルイメージ１１の前の予め先行するグレーレベルイメージ１０である。第１のグレーレベル閾値および第２のグレーレベル閾値が、グレーレベルイメージをバイナリーイメージに変換するためにセットされる。最初に現在のグレーレベルイメージ１２が第１のグレーレベルイメージ（図示せず）を得るために先行するグレーレベルイメージ１１によって差し引かれる。その後、第１のグレーレベルイメージの各ピクセルのグレー値が第１のグレーレベル閾値と比較される。ピクセルのグレー値が第１のグレーレベル閾値以上のときに、ピクセルは明ピクセルとしてセットされ、逆に、ピクセルのグレー値が第１のグレーレベル閾値未満のときに、ピクセルは暗ピクセルとしてセットされる。したがって、第１のバイナリーイメージ１３が明ピクセルおよび暗ピクセルで構成される。同様に、先行するグレーレベルイメージ１１が第２のグレーレベルイメージ（図示せず）を得るために予め先行するグレーレベルイメージ１０によって差し引かれる。その後、第１のグレーレベルイメージの各ピクセルのグレー値が第２のグレーレベル閾値と比較される。ピクセルのグレー値が第２のグレーレベル閾値以上のときに、ピクセルは明ピクセルとしてセットされ、逆に、ピクセルのグレー値が第２のグレーレベル閾値未満のときに、ピクセルは暗ピクセルとしてセットされる。したがって、第２のバイナリーイメージ１４が明ピクセルおよび暗ピクセルで構成される。最後に、第１のバイナリーイメージ１３および第２のバイナリーイメージ１４の間で論理アンド動作が実行されて、第３のバイナリーイメージ１５を生成し、その第３のバイナリーイメージ１５が、調整された移動イメージである。したがって、ユーザのジェスチャのイメージの位置が検出されることができる。
【００２１】
ステップＳ４０の詳細な説明が、次の通りに与えられる。最初に第３のバイナリーイメージ１５が複数の分割セクションに分けられる（図３に示す）。移動閾値が、分割セクションの各々が移動セクションであるかどうか判定するためにセットされる。好ましい一実施態様において、分割セクションの移動ピクセルの総計が移動閾値より大きいときに、分割セクションは明セクションとしてセットされる、すなわち、分割セクションは移動セクションとみなされる。これに反して、分割セクションの移動ピクセルの総計が移動閾値未満のときに、分割セクションは暗セクションとしてセットされる、すなわち、分割セクションは移動セクションとみなされない。例えば、１６０＊１２０ピクセルのイメージが、１９２（１６＊１２＝１９２）分割セクションに分けられる、すなわち、分割セクションの各々は１００（（１６０／１６）＊（１２０／１２）＝１００）ピクセルを有する。移動閾値が５０にセットされることが、仮定される。１つの分割セクション内の移動ピクセルの総計が移動閾値より大きいと、分割セクションは移動セクションである。したがって、大きい移動またはわずかな移動が誤操作の可能性を減少させるためにフィルターをかけられることができる。
【００２２】
ステップＳ５０の詳細な説明が、次の通りに与えられる。移動イメージ内の移動領域の座標境界が、図４に示すように、（ＬＴＸ、ＬＴＹ）から（ＲＢＸ、ＲＢＹ）と定められる。移動セクションが、移動イメージ内の上から下までおよび左から右まで最初に検出されると、移動領域の上部端、ＬＴＹがセットされる。また、それぞれ、移動領域の底端（ＲＢＹ）、左端（ＬＴＸ）および右端（ＲＢＸ）が類似した方法でセットされる。移動領域の座標境界が（０，０）から（０，０）までのときに、移動セクションが検出されないか、または、移動セクションの領域があまりに小さい。したがって、経過時間が設定時間を上回ると、動作メニュー（メインメニューおよびサブメニューが含まれる）が自動的に閉じられる。
【００２３】
上記したように、ジェスチャに基づく遠隔制御システムは位置ジェスチャ、クリックジェスチャ、スライドジェスチャおよびキャンセルジェスチャに対してユーザのジェスチャを判断する。クリックジェスチャは時間に依存しないジェスチャであるが、しかしながら、スライドジェスチャ、位置ジェスチャまたはキャンセルジェスチャは時間依存ジェスチャである。これらのジェスチャのタイプを認識するために、移動領域の最新の座標およびサイズが、記録される必要がある。移動領域がクリック規定領域に重なると、クリックジェスチャがクリックコマンドを供給するように認識される。移動領域が（横に、縦方向にまたは横の移動のような）指定された方向に継続的に動くと、スライドジェスチャが認識される。より詳しくは、移動領域は継続的に横に動く、すなわち、移動は左にまたは右に継続的に動く。移動領域が機能調節ブロック内で継続的に右に動くと、インクリメントコマンドが与えられ、これに反して、移動領域が機能調節ブロック内で左に動くと、デクリメントコマンドが与えられる。移動領域が横に連続的に変化をする（図７に示す）と、キャンセルジェスチャが生成される。移動領域が、横から縦方向または縦方向から横に変化をする（図５に示す）と、ポジションジェスチャが生成される。しかしながら、移動領域があまりに大きいか、または、移動領域が縦方向に連続的に変化をすると、移動中のオブジェクトがカメラモジュールのレンズを通して異常外乱を生成する。また、他の未定義であるかまたは認められていないジェスチャ動作は無効である。
【００２４】
ステップＳ６０の詳細な説明が、次の通りに与えられる：
【００２５】
１．ポジションジェスチャが、メインメニューおよびサブメニューの両方内で動作されることができる。加えて、ポジションジェスチャが実動作領域を生成するために移動領域に従って検出される。メインメニューが、モニタ上で開けられて表示される。ポジション手順は、図９内に示される。
【００２６】
２．キャンセルジェスチャが、先のメニューへ戻るかまたは現在のメニューを閉じるためにメインメニューおよびサブメニューの両方内で動作されることができる。キャンセル手順は、図１０内に示される。
【００２７】
３．インクリメントスライドジェスチャ（更に、インクリメントジェスチャと呼ばれる）が、メインメニューおよびサブメニューの両方内で動作されることができる。インクリメントジェスチャがメインメニュー内で動作されると、機能選択ブロック内の機器オプションが右に切替えられる（回転される）。インクリメントジェスチャがサブメニュー内で動作され、かつ動作オプションの１つが選ばれないと、動作オプションが右に切替えられる（回転される）。加えて、インクリメントジェスチャがサブメニュー内で動作され、かつ機能オプションの１つが選ばれると、インクリメント機能が動作される。インクリメントスライド手順は、図１１内に示される。
【００２８】
４．デクリメントスライドジェスチャ（更に、デクリメントジェスチャと呼ばれる）は、インクリメントジェスチャと同じように動作される。インクリメントジェスチャとデクリメントジェスチャとの間の違いは、切替えられた（回転された）方向およびいくらかの量が反対であるということである。デクリメントスライド手順は、図１２内に示される。
【００２９】
５．クリックジェスチャは、メインメニューおよびサブメニューの両方内で動作されることができる。クリックジェスチャがメインメニュー内で動作され、かつ、機能選択ブロックの１つが正確に選ばれると、機能選択ブロックの選択は有効である。クリックジェスチャがサブメニュー内で動作されると、選ばれた動作オプションは有効にされ、および、更に、クリックジェスチャが再び動作されると、選ばれた動作オプションは無効にされる。さらに、別の動作オプションが選ばれると、現在の動作オプションは閉じられる。したがって、動作オプションの１つだけが同時に、動作される。クリック手順は、図１３内に示される。
【００３０】
結論として、本発明は以下の特徴を有する：
【００３１】
１．ユーザの皮膚の色、服装および装飾、ならびに、環境背景の複雑さは、ジェスチャに基づく遠隔制御システムを動作させるために制限されない。また、ユーザは、特別な色またはパターンのいかなるオブジェクト、携帯照明機器も保持せず、いかなる特別なデータグローブも着用せず、または特別なジェスチャによって動作させることなく、非接触のマウス装置を手動で動作させることができる。
【００３２】
２．ジェスチャに基づく遠隔制御システムは、伝統ＴＶまたはデジタルＴＶを多機能汎用リモートコントロールとするために従来のＴＶまたはデジタルＴＶと組み合わせるように提供される。動作メニューの内容がＴＶのモニタ上に直接表示されることができ、および、動作メニューが、いかなる物理リモートコントロールも伴わずにただユーザのジェスチャを使用することによりさまざまな電子機器を制御するように動作される。
【００３３】
３．動作メニューの動作位置がユーザの近くに位置するので、定められた動作オプションが容易に選ばれることができる。また、腕を左へまたは右へ振るような単純な腕の動作が、動作オプションを切替え（回転し）、前進方向ファンクションキーおよび逆方向ファンクションキーを送信する動作を実現することができる。
【００３４】
４．循環メニューが、より多くの動作オプションを含み、更により操作しやすく、かつ直観的であるように採用される。
【００３５】
５．極端に大きい移動領域は、誤った移動オブジェクトを除外するために自動的にフィルターをかけられる。
【符号の説明】
【００３６】
１０  予め先行するグレーレベルイメージ
１１  先行するグレーレベルイメージ
１２  現在のグレーレベルイメージ
１３  第１のバイナリーイメージ
１４  第２のバイナリーイメージ
１５  第３のバイナリーイメージ
１００  ジェスチャに基づく遠隔制御システム
１０２  デジタル画像プロセッサ
１０４  マイクロプロセッサ
１０６  カメラモジュール
１０８  出力ポート
１１０  入力ポート
１１２  ＥＥＰＲＯＭ
１１４  Ａ／Ｄコンバータ
２００  テレビ
２０２  モニタ
４００  無線送信機
【図１】
2010282382.tif 000003
【図２】
2010282382.tif 000004
【図３】
2010282382.tif 000005
【図４】
2010282382.tif 000006
【図５】
2010282382.tif 000007
【図６】
2010282382.tif 000008
【図７】
2010282382.tif 000009
【図８】
2010282382.tif 000010
【図９】
2010282382.tif 000011
【図１０】
2010282382.tif 000012
【図１１】
2010282382.tif 000013
【図１２】
2010282382.tif 000014
【図１３】
2010282382.tif 000015
【図１４】
2010282382.tif 000016